(57)【特許請求の範囲】
【請求項１】
飛上る動作をする人形を収容しかつ陳列するさいに使用するための人形陳列包装体であって、後方部分、前方部分、それらの間に延びる１対の側方部分、底部分を有し、前記前方部分および側方部分が前記後方部分よりも短くなっている包装体と、前記底部分に枢結され、該底部分から前方上方に延びているスプリングボードと、前方スプリングボード上方で前記後方部分に回動自在に取り付けられた枢結フラップと、前記枢結フラップに固定されていて人形の首を取り巻きかつ拘束する首拘束部材と、前記スプリングボードに固定されていて人形の足を取り巻きかつ前記スプリングボードに該足を拘束する１対の足拘束部材とからなり、前記スプリングボードおよび枢結フラップは人形の足において前記スプリングボードに固定されかつ人形の首において前記枢結フラップに固定された人形の飛上る動作に応答して枢動を許す、人形陳列包装体。
【請求項２】
前記底部分、ほぼ平らな底、および重なり底ライナが溝を有し、前記スプリングボードが前記溝に延びている、請求項１に記載の人形陳列包装体。
【請求項３】
前記スプリングボードは、上方層および折り曲げ部で連結された下方層と、前記ほぼ平らな底と前記底ライナとの間で前記溝を通り前記上方層から延びる第１フラップと、前記ほぼ平らな底と前記底ライナとの間で前記溝を通り前記下方層から延びる第２フラップとからなる、請求項２に記載の人形陳列包装体。
【請求項４】
前記側方部分と前記前方部分と前記後方部分との間で前記底ライナ上方に延びていて、前記スプリングボードの一部を露出する穴を有しているほぼ平らなベースをさらに有する、請求項３に記載の人形陳列包装体。
【請求項５】
前記スプリングボードの上方層および下方層の各々は複数の穴を有し、前記１対の足拘束部材は足包囲ループを形成するように前記上方層および下方層の選択された穴を貫通する可撓性の細長い第１紐および第２紐を含む、請求項４に記載の人形陳列包装体。
【請求項６】
前記首拘束部材は、前記枢結フラップに結合された首包囲ループに形成された可撓性の細長い第３紐を含む、請求項５に記載の人形陳列包装体。
【請求項７】
前記側方部分は、前記後方部分から前記前方部分に向かって下方に角度を付けられている、請求項６に記載の人形陳列包装体。
【発明の詳細な説明】
【０００１】
［技術分野］
本発明は、一般に人形および類似の玩具製品包装に関し、さらに詳しく言えば、製品の実演または「試してみて」特徴を与えるように意図された包装体に関するものである。
【０００２】
本願は、Ａｒｍｅｎ  Ｄａｎｉｅｌｉａｎ  に代わって  年  月  日に出願された出願番号第      号（代理人登録番号１４０４０）を有する関連された出願において記載されかつ請求の範囲とされた装置であって、本出願の譲受人に譲渡されかつここに参照されている発明の名称「飛上る動作をする玩具」を開示している。
【０００３】
［背景技術］
市場において玩具製品の急速な事実上際限のない開発が、製品包装および製品包装技術における開発の同様な劇的な速度で起こってきた。このようにして、玩具製品がますます魅力的で、おもしろく、色彩豊かで、複雑で、精巧になってきているので、玩具製品のための包装が常に興味をひき、おもしろく、魅力的な包装を与えるように苦心されてきた。製品の保護、製品の簡便な輸送、製品取扱い容器を与える玩具製品包装の基本的機能に加えて、玩具包装技術従事者は玩具製品のための色彩豊かな、興味深い、目をひく、魅力的な包装をつくることに多大な努力を払っている。玩具包装技術従事者によってもたらされるべき多くの顕著な改善のうちの１つは、「試してみて」という特徴包装として広く記載されているものでもよい。この種の包装は、潜在的購買者が限られた意味で包装体から製品を取り出さずに製品を試してみたくさせるように、製品を陳列し、支持する能力からその名前を付けている。このようにして、「試してみて」包装は、製品がその包装保護の完全性を妥協せずにある程度試みられかつ実演されてもよい状況を与える。
【０００４】
例えば、Ｍｉｃｋｅｌｂｅｒｇに特許された米国特許第５，１７２，８０６号は、「包装体内の活動玩具」を開示している。Ｍｉｃｋｅｌｂｅｒｇに特許された米国特許第５，２８９，９１６号（米国特許第５，１７２，８０６号の一部継続出願）もまた、「包装体内の活動玩具」を開示している。両特許は、関節連結運動部品を有する活動玩具を収納するための包装体を開示している。包装体の開口は、玩具を作動させるスイッチを人が操作できるようにしている。玩具が作動されたとき、部品は包装体の開口をかいして、または代案として包装体の透明部分をかいして観察される。さらに、明りが点けられ、照明され、活動玩具が包装体内にある間に人によって見聞きされる音を発するように発声機が用いられてもよい。
【０００５】
Ａｎｔｅｎ等に特許された米国特許第４，９２５，０２５号は、長時間用の慣用の電池と置き換えられうる仮の安価な電源を有する包装された玩具としての「購買陳列の要点」を開示している。購買陳列の要点は、包装体内に残しながら玩具の活動を許す。電池で動力を受ける玩具が電池電源から作動されてもよく、あるいは恒久的電源が玩具に設けられている場合には、電池電源から切り離されていてもよい。
【０００６】
Ｋｌａｗｉｔｅｒに特許された米国特許第５，４１１，１３８号は、「玩具のための包装」を開示している。そこでは、総体的に長方形の箱形状をした２またはそれを超える透明な窓付き側面を有する包装容器を示している。箱内では、玩具自動車のような玩具製品が包装体の底側に形成された折り曲げられたフラップによって固定される。
【０００７】
Ｎｅｌｓｏｎに特許された米国特許第３，５７６，０８５号は、「包装体玩具」を開示している。そこでは、人間または動物のからだの外観を与えるように、玩具セットを保持しかつ壁を取り囲んだ中央凹部を持った構造からなる遊び物としての玩具保持包装機能を示している。
【０００８】
Ｇｒｅｅｎ等に特許された米国特許第３，４０６，８１６号は、「陳列容器」を開示している。それは、人形のような玩具が支持されているほぼ長方形の台座を有している。四方の包装体は、台座に嵌合され、３つの透明な側面と１つの不透明な側面とを含む。不透明なキャップが四方の包装体の頂部に嵌合される。
【０００９】
大竹に特許された米国特許第４，２３４，０７９号は、「玩具物品等の包装」を開示している。そこでは、包装体を有する包装部材を含む玩具物品を収容しかつ展示するように設計された包装体が示されている。包装部材の一部が透明であり、玩具物品が見られるようになっている。玩具物品を描いた複数の図面または絵を有する展示部材が包装部材に取り付けられている。
【００１０】
前述した玩具製品包装装置は、ある程度改善された玩具包装技術を有してはいるが、市場で成功を収めたいくつかの実例においては、それにもかかわらず常に改善され、興味深い、魅力的な玩具包装のための当該技術における絶え間ない要求が残る。
【００１１】
［発明の開示］
したがって、本発明の一般的な目的は、人形または類似製品のための改良された陳列包装体を提供することにある。本発明のさらに格別の目的は、人形または類似の玩具製品動作特徴の実演を容易にする人形または類似製品のための改良された陳列包装体を提供することにある。
【００１２】
本発明にもとづく飛上る動作をする人形を収容しかつ陳列するさいに使用するための人形陳列包装体は、後方部分、前方部分、それらの間に延びる１対の側方部分、底部分を有し、前方部分および側方部分が後方部分よりも短くなっている包装体と、底部分に枢結され、底部分から前方上方に延びているスプリングボードと、前方スプリングボード上方で後方部分に回動自在に取り付けられた枢結フラップと、枢結フラップに固定されていて人形の首を取り巻きかつ拘束する首拘束部材と、スプリングボードに固定されていて人形の足を取り巻きかつスプリングボードに足を拘束する１対の足拘束部材とからなり、スプリングボードおよび枢結フラップは人形の足においてスプリングボードに固定されかつ人形の首において枢結フラップに固定された人形の飛上る動作に応答して枢動を許す、構成になっている。
【００１３】
［発明を実施するための最良の形態］
図１は、本発明にもとづいて構成された人形陳列包装体１０の斜視図を示す。異なる材料が人形陳列包装体１０を製造するさいに用いられてもよいが、その好適製造においては、適当な剛性厚紙またはフレークボード材料が用いられる。しかし、一定の包装事情においては、必要とされるプラスチックまたは合成材料のようなその他の平らなシート材料を用いることも望ましい。人形陳列包装体１０を製造するために用いられる材料の必須の特性は、図示するように包装体に形成されてもよい比較的に剛性の平らな要素を与えるような材料の能力である。したがって、人形陳列包装体１０は、平らな底１４から上方に延びるほぼ垂直な後方部分１１を含む。１対の側面１２および１３は、角度を付けた縁４０および４１をそれぞれ画定する。前方部分１５と共に側面１２、１３は、さらに前方部分１５に結合される。後方部分１１、底１４、側面１２、１３の組合せは、図２に示す包装体内容物を収納するのに十分な強さを有する完成された剛性の自由直立構造を形成する。さらに本発明によれば、人形陳列包装体１０は、後方部分１１に届くように後方に延びるほぼ平らなベース１６をさらに含む。ベース１６は、大きい穴１７を有し、好適形体においては図２に最もよく示すように、底１４とほぼ平行になっている。
【００１４】
さらに本発明によれば、人形陳列包装体１０は、底１４に重なりかつ細長い溝１８を画定した底ライナ１９を含む。図２を参照して以下に詳細に述べるように、スプリングボード２０は、溝１８を貫通し上方に傾斜したベース１６を設けたほぼ平らな部材からなり、底１４と底ライナ１９との間で回動自在に支持される。スプリングボード２０は、足拘束部材２３が貫通する１対の穴２１、２２を有する。第２の１対の穴２４、２５は、スプリングボード２０に設けられていて、第２の足拘束部材２６を受けかつ支持する。
【００１５】
さらに本発明によれば、後方部分１１は１対の重複層５５、５６からなる。細長い溝３０は、層５５に形成され、かつ、枢結フラップ３１を受ける。枢結フラップ３１は、図２を参照してさらに詳細に述べられる。しかし、枢結フラップ３１が上方層３５および溝３０を貫通しかつ折曲げ部３３で連結された下方層３６を含むことをここで述べるだけで十分である。空間３４が、層３５、３６間に存在し、首拘束部材３２がそこを貫通する。
【００１６】
首拘束部材３２および足拘束部材２３、２６は、必要に応じて、プラスチック被覆線、もしくは紐、または、コードもしくは紐のような弾性ループ、弾性長尺物もしくは材料の細長い一部分のような様々な拘束材料からできていてもよい。拘束部材２３、２６、３２の必須の機能は、図２に示すように、玩具人形の基端をスプリングボードまたは枢結フラップに固定する適当な包囲材料を提供することである。
【００１７】
動作において、人形陳列包装体１０は、人形を垂直方向に伸び上がれるようにして人形の足が足拘束部材２３、２６によってスプリングボード２０に固定されるように、図２に示す仕方で人形を受ける。さらに、人形陳列包装体１０は、図２に示す仕方で首拘束部材３２を用いて人形の首を包囲することによって人形を固定する。上述したように、首拘束部材３２および足拘束部材２３、２６の好適な製造は、適当な可撓性プラスチック材料で包囲または被覆された金属線からなる可撓性線紐によって与えられる。合成紐は、拘束部材が包装体１０内に人形をぴったりと拘束するのを容易にする包装が便利であることがわっかた。図２に示す動物キャラクタを超えてその他の形式の人形が本発明の精神および範囲から逸脱せずに利用されうることは、当業者にとっては明らかであろう。したがって、例えば、人間のような人形または動作形体が、人形陳列包装体１０内に受けられ、かつ、首拘束部材３２および足拘束部材２３、２６を用いて拘束されてもよい。スプリングボード２０の弾性動作および以下に述べる枢結フラップ３１の枢動動作が垂直飛上り運動または運動の反復の実行を促進するように共同する包装体容器を提供することが、人形陳列包装体１０の格別な利点および目的でもある。
【００１８】
図２は、図１の線２−２にそって取った人形陳列包装体１０の断面図を示す。図示の目的のために、図２は包み込みの予期された仕方で人形陳列包装体１０内に固定された玩具形態６０をさらに示す。上述したように、種々の形体が人形陳列包装体１０内に固定され、かつ、その新規な観点から利益を受ける。しかし、ここに引用された上述した関連特許出願において述べた人形のような飛上り動作をする人形を利用することが、格別に有利である。したがって、図示する目的で、玩具形態６０は、虎のような動物の総体的に奇抜な外観をした人形を提供する。玩具形態６０は、１対の腕５９、６２および１対の足６４、６８を支持するトルソ６１を含む。玩具形態６０の足６４、６８は、足６５、６９でそれぞれ終了する。尾６３は、トルソ６１から後方下方に延びる。頭６６は、首部分６７によってトルソ６１に結合される。
【００１９】
本発明によれば、人形陳列包装体１０は、玩具形態６０を受け、かつ、足５５、５６を重ねることによって形成された後方部分１１と、重なった底ライナ１９および前方部分１５を有する底１４とを含む。包装体１０は、さらに側面１２、１３（図１では側面１２が見られる。）を含む。上述したように、人形陳列包装体１０は、さらに後方部分１１と前方部分１５との間を延びる穴１７を画定するベース１６を含む。人形陳列包装体１０の残りの部分を形成するさいに用いられるものと類似の剛性の厚紙またはフレークボード材料からなるスプリングボード２０は、上方層４３と、スプリングボード貫通溝１８を形成するように折り曲げられた下方層４４とを含む。上方層４３は、溝１８を通過し、接着剤等を用いて底１４および底ライナ１９に固定されたフラップ４６を形成する。同様に、下方層４４は、溝１８を通過し、底１４と底ライナ１９との間に取り込まれた前方延長フラップ４５を形成する。フラップ４５は、慣用の接着剤を用いて取り付けられる。代案として、フラップ４５、４６は、接着剤固定の必要性を避けるために底ライナ１９と底１４との間に十分に取り込まれてもよい。上方層４３および下方層４４は、スプリングボード２０が弾性自在に回動できる枢結部４２を形成するように溝１８をかいして折り曲げられる。このようにして、スプリングボード２０は、矢印５１、５２で示すように枢結部４２のまわりに回動できる。
【００２０】
人形陳列包装体１０は、首拘束部材３２を受ける折曲げ部３３を形成する上方層３５と下方層３６とからなる枢結フラップ３１をさらに含む。枢結フラップ３１の上方層３５と下方層３６とは、層５５の溝３０を通過し、また、層３５の端部が層５５、５６間を上方に延び、かつ、層３６の端部が層５５、５６間を下方に延びるように、層５５、５６間に延びる。その結果、層３５、３６は、溝３０内で折曲げ枢結部３７を形成する。枢結部３７は、枢結フラップ３１を矢印５３、５４で示す方向に回動させる。
【００２１】
動作において、玩具形態６０が、側面１２、１３（図１において側面１２が示されている。）間に玩具形態６０を配置することによって、かつ、足６５、６６がスプリングボード２０に受けられるまで、穴１７を通って足６４、６８を延長させることによって包装体内に固定される。その後、拘束部材２６、２３は、玩具形態６０の足をスプリングボード２０に取り込んで足６５、６９に固定される。玩具形態６０の固定は、首６７が枢結フラップ３１の折曲げ部３３に固定されるように首拘束部材３２によって首部分を包囲することによって完成される。この点において、玩具形態６０は、人形陳列包装体１０に完全に拘束される。
【００２２】
上述した関連する特許出願において述べたように、その好適形体における玩具形態６０は、飛上り動作を与える。その動作においては、足６４、６８がバネ偏倚作用に抗して繰り返してトルソ６１内に上下動され、足６４、６８を飛上り動作のさいに玩具形態６０を下方に押し出すように解除される。本発明の重要な考え方においては、玩具形態６０が人形陳列包装体１０内で拘束されたまま、この飛上り活動を実演できることである。
【００２３】
玩具形態６０が包装体１０内で拘束されているときに、使用者が接触できる玩具形態６０のオンオフ・スイッチ７０によって、使用者がオンオフ・スイッチ７０に手を延ばし、そして、玩具形態６０にその飛上り動作をさせるさいに玩具形態６０を反転できる。この飛上り動作のさいに、トルソ６１に関して、ならびに玩具形態６０の飛上り動作を与える急速な下方推力に関して、足６４、６８の上方運動が、スプリングボード２０および枢結フラップ３１の弾性回動によって収容される。このようにして、玩具形態６０が矢印５０で示す垂直方向に繰り返して動かされるので、スプリングボード２０は矢印５１、５２で示す方向に回動され、そして、枢結フラップ３１が矢印５３、５４で示す方向に回動される。その結果、玩具形態６０が包装体１０内に拘束されたままで、玩具形態６０の飛上り動作が観察できる。いつでも使用者は、スイッチ７０に単に手を延ばし、それをオフ位置に動かすことによって玩具形態６０の実演を終了させることができる。各枢結部４２、３７のまわりでスプリングボード２０および枢結フラップ３１の弾性が、玩具形態６０が作動されていないとき、図２に示す位置へ玩具形態６０を戻す。
【００２４】
示されているものは、人形を人形陳列包装体１０に保持したまま飛上り動作をする人形動作の実演を容易にさせる人形陳列包装体である。図示した包装体は、慣用の紙ボード、厚紙、もしくはフレークボードまたは類似の慣用の包装材料から容易につくられる。
【図面の簡単な説明】
【図１】本発明にもとづいて構成された人形陳列包装体の斜視図である。
【図２】図１の２−２線から取った人形陳列包装体の断面図であって、包装体に支持された人形の一例を示す。
【図１】
0003579656.tif 000002
【図２】
0003579656.tif 000003